(57)【要約】【課題】データ通信をする場合に携帯端末に装着して受信電波信号のＳ／Ｎ比を良くすることが可能な携帯端末用アダプタおよび携帯端末を提供する。【解決手段】携帯端末５０に着脱可能なフタの内側に、アンテナ７１と高周波信号送受信部を取付けてなり、携帯端末５０に装着して携帯端末５０のアンテナ２２と高周波信号送受信部とで、ダイバーシティ送受信を可能とすることを特徴とする。また携帯端末は携帯端末用アダプタ５０の接続有無を判断し、有りの場合ダイバーシティ送受信を可能とする。【選択図】  図９
2004364077.tif 000002
【特許請求の範囲】
【請求項１】
携帯端末に着脱可能なフタの内側に、アンテナと高周波信号送受信部を取付けてなり、前記携帯端末に装着して前記携帯端末のアンテナと高周波信号送受信部とで、ダイバーシティ送受信を可能とすることを特徴とする携帯端末用アダプタ。
【請求項２】
請求項１記載の携帯端末用アダプタにおいて、前記アンテナが伸縮可能なホイップアンテナであることを特徴とする携帯端末用アダプタ。
【請求項３】
請求項１記載の携帯端末用アダプタにおいて、前記アンテナが内蔵アンテナであることを特徴とする携帯端末用アダプタ。
【請求項４】
請求項１記載の携帯端末用アダプタにおいて、さらにＧＰＳアンテナとＧＰＳ信号受信部を取付けてなることを特徴とする携帯端末用アダプタ。
【請求項５】
送受信の際、携帯端末用アダプタの装着の有無を判定し、有りならば前記携帯端末用アダプタが有するアンテナと高周波信号送受信部とともにダイバーシティ送受信をすることを特徴とする携帯端末。
【発明の詳細な説明】
【０００１】
【発明の属する技術分野】
本発明は、機能の向上を可能とする携帯端末用アダプタおよび携帯端末に関する。
【０００２】
【従来の技術】
代表的携帯端末である携帯電話機は広く普及し、携帯電話にカメラ機能を備え撮像した画像を送ったり、ゲームや着信メロディ等をダウンロードして楽しんだりする多くの付加機能が楽しめるようになっている。
【０００３】
今後、カメラ機能は動画機能の充実や高画素化が進み、またゲームや着信メロディも高機能化が進むと考えられる。
【０００４】
このような状況から、携帯端末で送受信するデータ容量は飛躍的に増加すると予想される。
【０００５】
上記高機能化に伴って進行するデータの大容量化に伴い、大容量データの送受信を高速かつ安定に行う技術が必要になる。データ送受信転送速度の高速化実現の要件の一つに、雑音に対する信号の比すなわちＳ／Ｎ比を高くすることがある。
【０００６】
一般的に多重反射等によって変動の大きい無線信号の場合、高いＳ／Ｎ比を安定して確保する手段として、時間的、空間的あるいは電波の偏波面など異なる信号を最適に組み合わせるダイバーシティ技術が実施されている。
【０００７】
従来の携帯電話においては、ある程度条件が悪い場合に実現可能な通信速度を基準にしており、条件が良好な場合にも各携帯端末がそれ以上の速度で通信することは考慮しておらず、携帯端末は基本的な通信性能を確保できていれば良かった。
【０００８】
しかしながら電波状態が良好な場合に、その状態で可能な最大限の速度でデータ通信を行うベストエフォート方式のデータ通信方式ＣＤＭＡ２０００１Ｘ  ＥＶ−ＤＯが提案され、実用化が近づきつつある。
【０００９】
このデータ通信方式においては、携帯端末が受信する受信信号のＳ／Ｎ比が改善されれば、その分通信速度を早くできる。したがって受信信号のＳ／Ｎ比を良くして、Ｓ／Ｎ比の良い状態を基地局に通知することで、Ｓ／Ｎ比の状態に応じた通信処理速度を、Ｓ／Ｎ比が良い状態の場合は早い通信処理速度を、基地局から受信することができ、データを高速に処理して通信速度を早くすることができる。
【００１０】
そこで、通常の場合は、基本的な性能で通信し、データ通信する場合に補助機能を付加して受信電波信号のＳ／Ｎ比を良くすることが望まれる。
【００１１】
公知文献の例としては、携帯電話本体とページャ端末を備え、ページャ端末で基地局からの無線で送られてくる発呼者のダイアル番号データを受信してメモリに書き込む。その後ページャ端末を携帯電話本体に装着してからダイアル番号データの送信操作を行って携帯電話本体に送り、携帯電話本体では受けてダイヤル番号を表示部に表示し、携帯電話本体側で発呼者に電話をかける技術が公開されている（例えば、特許文献１参照）。
【００１２】
【特許文献１】
特開平８−１４０１３８号公報
【００１３】
【発明が解決しようとする課題】
しかしながら、この特許文献１には、本発明に関連する、データ通信する場合に補助機能を付加して受信電波信号のＳ／Ｎ比を良くすることについてはなんらふれていない。
【００１４】
本発明の目的は、データ通信をする場合に携帯端末に装着して受信電波信号のＳ／Ｎ比を良くすることが可能な携帯端末用アダプタおよび携帯端末を提供することにある。
【００１５】
【課題を解決するための手段】
本発明による請求項１記載の携帯端末用アダプタは、携帯端末に着脱可能なフタの内側に、アンテナと高周波信号送受信部を取付けてなり、前記携帯端末に装着して前記携帯端末のアンテナと高周波信号送受信部とで、ダイバーシティ送受信を可能とすることを特徴とする。
【００１６】
本発明による請求項２記載の携帯端末用アダプタは、請求項１記載の携帯端末用アダプタにおいて、前記アンテナが伸縮可能なホイップアンテナである。
【００１７】
本発明による請求項３記載の携帯端末用アダプタは、請求項１記載の携帯端末用アダプタにおいて、前記アンテナが内蔵アンテナである。
【００１８】
本発明による請求項４記載の携帯端末用アダプタは、請求項１記載の携帯端末用アダプタにおいて、さらにＧＰＳアンテナとＧＰＳ信号受信部を取付けてなることを特徴とする。
【００１９】
本発明による請求項５記載の携帯端末は、送受信の際、携帯端末用アダプタの装着の有無を判定し、有りならば前記携帯端末用アダプタが有するアンテナと高周波信号送受信部とともにダイバーシティ送受信をすることを特徴とする。
【００２０】
【発明の実施の形態】
本発明の実施の形態における携帯電話について、以下図１から図１１を用いて説明する。各図において同一箇所には同一符号を付けた。
【００２１】
図１は本発明の実施の形態における携帯電話の使用状態を示す正面斜視図である。前記携帯電話は、第１の筐体１０と第２の筐体２０とが、それぞれの端部で折りたたみ可能なヒンジ部３０で回転可能に連結され、第２の筐体２０に対して第１の筐体１０を開閉することができる。以下の図１から図３は第１の筐体と第２の筐体を開いた状態を示している。
【００２２】
前記携帯電話は第１の筐体１０に表示部１１を、第２の筐体２０に操作キー２１とアンテナ２２を備えており、操作キー２１を操作してアンテナ２２より無線信号を着信し、着信したデータの内容を必要に応じ表示部１１に表示する。また、第１の筐体１０にレシーバ１２を備え、着信した電話の内容を聞くことができる。第２の筐体２０にマイク２３を備え、話した音声信号をアンテナ２２より相手の携帯電話に送ることができる。また、ヒンジ部３０にカメラ３１を備え、撮像した画像を内部メモリに記憶してから表示部１１に表示し、アンテナ２２より相手の携帯電話に送ったりすることができる。
【００２３】
図２は図１の裏面斜視図であり、筐体の電池収納部を覆う着脱可能な電池フタを装着した図である。第２の筐体２０はその裏面側に電池収納部を備え、その電池収納部に着脱可能な電池フタ４０を装着して、電池フタ４０で電池収納部を覆っている。
【００２４】
図３は図１の裏面斜視図であり、筐体の電池収納部を覆う着脱可能なフタの内側に、付加機能部品を取り付けた携帯電話用アダプタ５０を装着した場合の図である。
【００２５】
図２、図３から分かるように、同じ携帯電話の電池収納部に対して、図２の電池フタ４０を装着したり取り外したり、図３の携帯電話用アダプタ５０を装着したり取り外したりすることができる。
【００２６】
図４は本発明の実施の形態における携帯電話が閉じた状態を示す裏面斜視図であって、筐体の電池収納部に入れる電池および電池と電池収納部を覆う着脱可能な電池フタ４０および携帯電話用アダプタ５０を取り外した図である。
【００２７】
第２の筐体２０の電池収納部２４に、挿入される電池６０の電子接点と接続される電池接続コネクタ２５を備えている。また、電池収納部２４に携帯電話用アダプタ５０を装着した際、携帯電話用アダプタ５０の内側に取り付けた付加機能部品と電気的に接続されたアダプタ側部品接続コネクタと接触し電気接続するための電話側部品接続コネクタ２６を備えている。第２の筐体２０の電池収納部２４に携帯電話用アダプタ５０を装着すると、自動的に付加機能部品と電話側部品接続コネクタ２６とを電気的に接続することができる。
【００２８】
図５は電池フタを内側から見た斜視図である。電池フタ４０には、電池フタ４０を図４に図示の電池収納部２４に装着した際、電池収納部２４に設けた係止部２４ａと係合するためのフタ係止部４０ａを複数箇所に備えている。電池フタ４０を図４の上側より動かして筐体２０に接触させ、次に図の右側にスライドさせることにより、両方の係止部４０ａ、２４ａが係止して電池フタ４０が係止される。電池フタ４０が係止された状態を図２に示した。
【００２９】
図６は図３のＶＩ−ＶＩの線に沿う拡大断面図である。電池６０を携帯電話用アダプタ５０で覆っている。携帯電話用アダプタ５０は、内面にホルダ５１が取り付けられており、付加機能部品７０をホルダ５１に挿入した後、第２の筐体２０に取り付ける。図７は図３のＶＩＩ−ＶＩＩの線に沿う断面図である。
【００３０】
図８は携帯電話用アダプタ５０の実施の形態であり、内側から見た分解斜視図である。
【００３１】
携帯電話用アダプタ５０はその内側に、図６で図示した付加機能部品７０を構成するところの、アンテナ７１と高周波信号送受信部を有するモジュール７２、および、フレキシブル基板５２と、アダプタ側部品接続コネクタ５３と、ネジ５４で構成される。
【００３２】
携帯電話用アダプタ５０の内側に高周波信号送受信部を有するモジュール７２を配置し、その外側にフレキシブル基板５２をのせ、フレキシブル基板５２の穴５２ａとコネクタ５３の穴５３ａを合わせてから、コネクタ５３をネジ５４で固定し、高周波信号送受信部を有するモジュール７２をアンテナ７１と電気的に接続することで、アンテナ７１と高周波信号送受信部を有するモジュール７２とアダプタ側部品接続コネクタ５３とが電気的に接続される。
【００３３】
図８において、アンテナ７１は伸縮可能なホイップアンテナである。
【００３４】
電池ケースを取り外して図８の携帯電話用アダプタ５０を装着すると、アダプタ側部品接続コネクタ５３が電話側部品接続コネクタ２６（図４）に接触して、携帯端末側のアンテナおよび高周波信号送受信部と、アダプタ５０側のアンテナおよび高周波信号送受信部とでダイバーシティ送受信回路を構成し、高速かつ安定に音声通信や大容量のデータ通信の送受信等を行うことが可能になる。
【００３５】
図９は携帯電話と携帯電話用アダプタ５０の回路構成図である。
【００３６】
携帯電話は、伸縮可能なホイップアンテナ２２および、高周波信号送受信部を構成するデュプレクサ８１，受信回路８２，Ａ／Ｄ変換回路８３，Ｄ／Ａ変換回路８７，送信回路８８、および信号処理部８４を有する。
【００３７】
電話を受信する場合、アンテナ２２から受信した信号はデュプレクサ８１を通して受信回路８２に送られ、１ＧＨｚ程度の高周波信号から周波数が１ＭＨｚ程度のベースバンド信号を抽出し、次段のＡ／Ｄ変換回路８３でデジタル信号に変換され、信号処理部８４で復調され音声情報に変換される。音声情報は次段のＤ／Ａ変換回路８５でアナログ信号に変換され、レシーバ１２から放音される。また、データ通信で受信したデータ情報は音声と同様の経路で信号処理部８４に入力され、信号処理部８４で解読され、必要に応じて表示部１１で表示されたり、所定の処理を実行する。
【００３８】
次に、送話の場合について説明する。マイク２３で音声から変換された音声信号は、Ａ／Ｄ変換回路８６でアナログ信号からデジタル信号に変換され、信号処理部８４で符号化されてから変調される。変調された音声信号は、次段のＤ／Ａ変換回路８７でアナログ信号に変換され、送信回路８８でベースバンド周波数から高周波信号に変換された後、電力増幅され、デュプレクサ８１を通してアンテナ２２から送信される。
【００３９】
送信および受信の際、信号処理部８４に入力された送信および受信信号は一旦メモリ８９に記憶され、信号処理部８４で送信および受信処理されてから次段に送出される。また信号処理部８４に、電話側部品接続コネクタ２６と表示部１１とカメラ３１と操作キー２１が接続されており、カメラ３１は画像情報を電気信号に変換し、操作キー２１は使用者が所要のキーを押すことにより携帯電話に指令情報を入力する。
【００４０】
これらの動作をするための電源は電池６０から、電池接続コネクタ２５を通して信号処理部８４を経由して各部に供給される。
【００４１】
一方、携帯電話用アダプタ５０は、伸縮可能なホイップアンテナ７１および、高周波信号送受信部を構成するデュプレクサ７３，受信回路７４，Ａ／Ｄ変換回路７５，Ｄ／Ａ変換回路７６，送信回路７７を有する。
【００４２】
伸縮可能なホイップアンテナ７１から受信した信号は、デュプレクサ７３を通して受信回路７４に送られ、そこで高周波信号からベースバンド信号を抽出され、次段のＡ／Ｄ変換回路７５で８ビットのディジタル信号に量子化される。この量子化されたデジタル信号は、アダプタ側部品接続コネクタ５３と電話側部品接続コネクタ２６とを通して信号処理部８４で復調され、携帯電話からのデジタル信号との位相差および振幅の差を補正して合成される。信号処理部８４は、もともと携帯電話内でのダイバーシティ機能を行っているが、携帯電話用アダプタ５０による受信信号も、それに加えてダイバーシティ処理を実行する。
【００４３】
そのことによって、受信信号のＳ／Ｎ比を良くして、Ｓ／Ｎ比の良い状態を基地局に通知することができ、基地局から、良いＳ／Ｎ比に対応する早い通信処理速度を受けて、データを高速に処理してデータ通信速度を早くすることができる。
【００４４】
ダイバーシティ効果を上げるために、本実施の形態では携帯電話のアンテナ２２と携帯電話用アダプタ５０のアンテナ７１の相対位置を大きく取るため、図３に示すように第２の筐体２０の主たる平面方向に投影した状態で第２の筐体を長方形に近似したときに互いに対角線に位置するように配置した。
【００４５】
本実施の形態では、概ね平行な２つのアンテナの軸線の間隔は４ｃｍ程度のため、約２ＧＨｚの無線信号の波長約１５ｃｍの１／４強であり、原理的に望ましい距離７．５ｃｍ（半波長）以上とならないが、軸線方向に離れている効果も考慮すれば、空間ダイバーシティとして充分有効である。
【００４６】
また、携帯電話用アダプタを携帯電話に装着してアンテナ７１を伸長した状態では、上述のようにアンテナ７１は第２の筐体２０の対角線上のコーナー部付近から外に伸びている状態であり、一般的には第２の筐体２０の中央部を手で保持することを考慮すると、２つのアンテナ２２，７１は手および頭などの人体から充分離れている。
【００４７】
また送信信号は信号処理部８４で符号化され変調される。一方は携帯電話のＤ／Ａ変換回路８７でアナログ信号に変換され、送信回路８８で電力増幅され、デュプレクサ８１を通してアンテナ２２から送信される。
【００４８】
もう一方の送信信号は信号処理部８４で符号化され変調される。電話機側部品接続コネクタ２６とアダプタ側部品接続コネクタ５３とを通して、携帯電話用アダプタ５０内のＤ／Ａ変換回路７６でアナログ信号に変換され、送信回路７７で電力増幅され、デュプレクサ７３を通して伸縮可能なホイップアンテナ７１から送信される。
【００４９】
本実施の形態では、空間ダイバーシティ方式について説明したが、選択ダイバーシティ、時間ダイバーシティ、偏波面ダイバーシティ、指向性ダイバーシティなど異なる方式のダイバーシティであっても適切な設定により送受信ダイバーシティ効果を上げることができることは言うまでもない。
【００５０】
また本実施の形態では、アンテナ７１として伸縮可能なホイップアンテナで説明したが、携帯電話用アダプタ５０のケース内側に配置したアンテナであってもよく、この場合はケースの内側の面積をいっぱいに利用した大型アンテナとすることにより、高感度受信の無線信号を携帯電話に送ることができる。
【００５１】
図１０は図９における携帯電話の信号処理部８４における携帯電話用アダプタ５０の有無による送信および受信処理のフローチャートである。
【００５２】
信号処理部８４は待ち受け状態で送信信号か受信信号を感知すると（Ｓ１）、信号の判定を行う（Ｓ２）。
【００５３】
信号が受信信号の場合（Ｓ２−受信）、次に携帯電話用アダプタ５０の有無を判定し（Ｓ３）、携帯電話用アダプタ５０が接続されているならば（Ｓ３−有）、携帯電話用アダプタ５０に電池５０の電源を図示していないが入れ（Ｓ４）、携帯電話と携帯電話用アダプタ５０とで受信ダイバーシティ回路を構成する。
【００５４】
そして受信信号はダイバーシティ受信処理され（Ｓ５）、信号処理部８４で復調・符号化され（Ｓ６）、検波（出力情報に変換）される（Ｓ７）。音声情報の場合、信号処理部８４を経たこの信号をＤ／Ａ変換することで音声にできる（Ｓ８）。
【００５５】
アダプタが接続されていない時（Ｓ３−無）は、携帯電話のアンテナ２２のみで受信した信号を信号処理部８４内で復調・符号化される（Ｓ６）。以降は同様に検波（Ｓ６）および音声出力される（Ｓ６）。
【００５６】
一方、送信の場合（Ｓ２−送信）、携帯電話用アダプタの有無を判定し（Ｓ９）、携帯電話用アダプタ５０が接続されているならば（Ｓ９−有）、携帯電話用アダプタ５０に電池５０の電源を図示していないが電源を入れる（Ｓ１０）。次に送信すべき信号を信号処理部８４内で符号化・変調して（Ｓ１１）、アンテナ切替判定を行う（Ｓ１２）。
【００５７】
送信処理の所定のタイミングに携帯電話のアンテナ２２と携帯電話用アダプタ５０のアンテナ７１とから交互に短時間送信して、携帯電話用アダプタ５０（Ｓ１２−アダプタ）あるいは携帯電話（Ｓ１２−電話）のいずれか基地局側受信信号の良好な方を選択して（Ｓ１２）、選択された側から送信を開始する。
【００５８】
携帯電話用アダプタ５０が接続されていない時（Ｓ９−無）は、送信すべき信号を信号処理部８４内で符号化・復調して（Ｓ１１）、Ｄ／Ａ変換回路８７および送信回路８８を経て送信する。アンテナ切替を一定時間ごとに行うことによって環境の変化に対応することができる。
【００５９】
図１１は図１０のダイバーシティ受信Ｓ５のフローチャートである。図９の携帯電話用アダプタ５０内のアンテナ７１で受信した高周波信号から抽出され量子化されたベースバンド信号Ｓ２１と、携帯電話のアンテナ２２で受信した高周波信号から量子化され抽出されたベースバンド信号Ｓ２７とが、信号処理部８４に入力されている時の信号処理部８４の内部での処理を示す。
【００６０】
携帯電話用アダプタ５０の量子化されたデータはＣＤＭＡ方式の携帯電話機で一般的に採用されているレイク受信処理を受け（Ｓ２２）、信号を改善させる。この結果をメモリ８９に格納するとともに、フィルタ処理を行って基本波成分を抽出する（Ｓ２４）。同様に携帯電話の量子化されたデータはレイク受信処理を受け（Ｓ２８）、信号を改善させる。この結果をメモリ８９の前記携帯電話用アダプタのデータとは別の領域に格納する（Ｓ２９）とともに、フィルタ処理を行って基本波成分を抽出する（Ｓ３０）。
【００６１】
２つの受信信号の基本波成分を比較し、携帯電話の基本波を基準として位相差と振幅の比を計算する（Ｓ３１）。次いでメモリ８９から携帯電話用アダプタ５０のレイク受信処理された信号を読み出し（Ｓ２５）、前記信号を前記（Ｓ３１）で求めた位相差分だけ時間をずらし、振幅比を乗じて振幅を調整（Ｓ３２）する。次いでメモリ８９から携帯電話のレイク受信処理された信号を読み出し（Ｓ３３）、前記調整された携帯電話用アダプタ５０の信号（Ｓ３２）と加える（Ｓ３４）。
【００６２】
以上のダイバーシティ処理された信号（Ｓ３４）を復調して（Ｓ３５）、例えば音声信号を袖出する。これをＤ／Ａ変換し（Ｓ３６）、レシーバに加えることにより音声として出力することができる。信号処理部８４は上記処理を所定の周期で繰り返し実行する。
【００６３】
以上の図１１では携帯電話の信号と、携帯電話用アダプタ５０の信号を同じ振幅に調整して加えるとして説明したが、２つの受信機およびアンテナの性能が同一ではないので、総合的に性能の高い側の信号の重みを大きくし、他方の重みを小さくして加えても良い。
【００６４】
また、本実施の形態では、ＣＤＭＡ方式の例に沿ってレイク受信処理を行う場合を説明したが、他の方式による信号改善処理で代替可能であり、条件によっては省略できる可能性もある。
【００６５】
以上説明の携帯電話用アダプタは、携帯電話と同一周波数範囲で同一方式の無線通信機能を持つ付加機能部品を備えた場合であるが、他の例として携帯電話がアンテナおよび高周波信号送受信部に加えて、ＧＰＳ方式の測位機能を備えている場合においては、通信携帯電話用アダプタ５０の内側に、ＧＰＳアンテナおよびＧＰＳ信号受信部とからなるＧＰＳ付加機能部品を上記実施の形態におけるアンテナ７１および高周波信号送受信部に加えて備えることにより、ＧＰＳ信号受信ダイバーシティ回路を構成でき、ＧＰＳ信号の受信感度を向上させることができる。その結果、測位精度が向上し、受信信号が減衰する屋内などでも測位可能な範囲が増加する。
【００６６】
【発明の効果】
本発明によれば、データ通信をする場合に携帯端末に装着して受信電波信号のＳ／Ｎ比を良くすることが可能な携帯端末用アダプタおよび携帯端末を得ることができる。
【図面の簡単な説明】
【図１】本発明の実施の形態における携帯電話の使用状態を示す正面斜視図である。
【図２】図１の裏面斜視図であり、筐体の電池収納部を覆う着脱可能な電池フタを装着した図である。
【図３】図１の裏面斜視図であり、筐体の電池収納部を覆う着脱可能なフタの内側に、付加機能部品を取り付けた携帯電話用アダプタを装着した図である。
【図４】本発明の実施の形態における携帯電話が閉じた状態を示す裏面斜視図であって、筐体の電池収納部に入れる電池および電池と電池収納部を覆う電池フタおよび携帯電話用アダプタを取り外した図である。
【図５】電池フタを内側から見た斜視図である。
【図６】図３のＶＩ−ＶＩの線に沿う拡大断面図である。
【図７】図３のＶＩＩ−ＶＩＩの線に沿う断面図である。
【図８】携帯電話用アダプタの実施の形態であり、内側から見た分解斜視図である。
【図９】携帯電話と携帯電話用アダプタの回路構成図である。
【図１０】図９における携帯電話の信号処理部における携帯電話用アダプタの有無による送信および受信処理のフローチャートである。
【図１１】図１０のダイバーシティ受信のフローチャートである。
【符号の説明】
１０：第１の筐体、１１：表示部、１２：レシーバ、２０：第２の筐体、２１：操作キー、２２：アンテナ、２３：マイク、２４：電池収納部、２４ａ：電池収納部の係止部、２５：電池接続コネクタ、２６：電話側部品接続コネクタ、３０：ヒンジ部、３１：カメラ、４０：電池フタ、４０ａ：電池フタの係止部、５０：携帯電話用アダプタ、５１：ホルダ、５２：フレキシブル基板、５２ａ：フレキシブル基板の穴、５３：アダプタ側部品接続コネクタ、５３ａ：アダプタ側部品接続コネクタの穴、５４：ネジ、６０：電池、７０：付加機能部品、７１：アンテナ、７２：高周波信号送受信部を有するモジュール、７３：デュプレクサ、７４：受信回路、７５：Ａ／Ｄ変換回路、７６：Ｄ／Ａ変換回路、７７：送信回路、８１：デュプレクサ、８２：受信回路、８３：Ａ／Ｄ変換回路、８４：信号処理部、８５：Ｄ／Ａ変換回路、８６：Ａ／Ｄ変換回路、８７：Ｄ／Ａ変換回路、８８：送信回路、８９：メモリ。
【図１】
2004364077.tif 000003
【図２】
2004364077.tif 000004
【図３】
2004364077.tif 000005
【図４】
2004364077.tif 000006
【図５】
2004364077.tif 000007
【図６】
2004364077.tif 000008
【図７】
2004364077.tif 000009
【図８】
2004364077.tif 000010
【図９】
2004364077.tif 000011
【図１０】
2004364077.tif 000012
【図１１】
2004364077.tif 000013